(57)【特許請求の範囲】
【請求項１】
試験問題を格納する試験問題格納手段と、
受験者の個人情報を格納する個人情報格納手段と、
前記試験問題格納手段から読み出された試験問題と、前記個人情報格納手段から読み出された個人情報とを基に、前記試験問題に含まれる選択肢の並び順とその内容が受験者間で一致することのない試験問題である実問題を、前記個人情報のデータの値のそれぞれに相互に異なる正解選択肢番号列を対応させることにより、生成する実問題生成手段と、
前記実問題生成手段により生成された実問題を再生する再生手段と、を備えた、
ことを特徴とする個別試験実施装置。
【請求項２】
試験問題を格納する試験問題格納手段と、
受験者の個人情報を格納する個人情報格納手段と、
実問題生成手段と、
再生手段と、を有する個別試験実施装置を用いて、
前記試験問題格納手段に格納された試験問題を、受験者が各人個別に再生し、個別試験を行う方法であって、
前記実問題生成手段が、前記試験問題格納手段から読み出された試験問題と、前記個人情報格納手段から読み出された個人情報とを基にして、前記試験問題に含まれる選択肢の並び順とその内容が受験者間で一致することのない試験問題である実問題を、前記個人情報のデータの値のそれぞれに相互に異なる正解選択肢番号列を対応させることにより、生成する実問題生成ステップと、
前記再生手段が、前記実問題生成ステップにより生成された実問題を再生する再生ステップと、を含む、
ことを特徴とする個別試験実施方法。
【発明の詳細な説明】
【技術分野】
【０００１】
本発明は個別試験実施装置に関し、特に不正行為の防止を行い、かつ受験者の精神的負担を軽減することのできる個別試験実施装置に関するものである。
【０００２】
また、本発明は個別試験実施装置に関し、特に不正行為の防止、及び受験生への試験結果の通知を迅速に行うことのできるものに関するものである。
【背景技術】
【０００３】
従来の大学入試センター試験においてリスニングテストは、試験会場にあるスピーカーから音声を再生し、その試験会場にいる受験生に一斉に聞かせ、問題を解答する。解答はマークシートに記入する。しかし、試験会場の環境の違いから、試験会場によっては聞こえ方が良くないなど、聞こえ方に違いが起き、公平性に欠くこととなる。そこで、聞こえ方の公平性を保つため、ヘッドホンやイヤホンを接続した個別試験実施装置を用いる方法の導入が決定されている。
【０００４】
この技術は、従来の文献として引用すべきものは見当たらなかったが、下記の非特許文献があり、周知の事実となっている。（例えば、非特許文献１参照。）。
【非特許文献１】新聞記事  ２００３年１１月６日発行の朝日新聞（朝刊）、２９面
【発明の開示】
【発明が解決しようとする課題】
【０００５】
従来の個別試験実施装置は以上のように構成されており、このようなリスニングテストにおいては常に不正行為が起こる危険性を考慮し対処する必要がある。不正行為は他人の答案を覗く方法と、問題を他受験者に先行して知る方法とに大別されるが、前者については受験者全員が同一の試験問題を同じ順番で解答していくため、マークシート上の解答位置が分かりやすいという点に起因する。また、後者については、問題の漏洩や、各受験者への問題用紙配布の時間差により、先に配布された受験者が試験開始以前に問題用紙を覗くといったことが原因として挙げられる。また、上記他受験者の答案を覗くという不正行為の防止のために、マークシートを使用せずに個別試験実施装置自体に解答を入力する方法が挙げられるが、解答状況が一目で把握し難く受験者の精神的な負担となるという問題点が生じることになる。
【０００６】
本発明は以上のような問題点を解消するためになされたもので、個別試験実施装置を用いた試験方法に関して、答案に対する不正行為の防止を行い、かつ受験者の精神的負担を軽減する個別試験実施装置を提供することを目的とする。
【０００７】
また、上記で説明したような従来の個別試験実施装置では、試験問題および解答に関して、その作成から受験の際の配布時まで、情報漏えいの危険性が存在した。また、上記に示したようなヘッドホンやイヤホンを接続した個別試験実施装置を用いる方法では、事前に試験問題および解答を格納した記録メディアを持ち出したり、電子情報化された試験問題および解答をコピーしたりするなど不正行為が起きやすい。また、情報漏えい等の不正行為が起こったことが試験開始直前までに発覚した場合でも、試験問題の変更、試験問題および解答用紙の再準備が間に合わず、試験の延期や中止など試験実施者、受験者双方への時間的、コスト的被害は甚大である。さらに、機械読み取り型のマークシート方式による試験の場合でも、マークシートを回収してから受験生への試験結果の通知が行われるまで時間がかかるという問題点があった。
【０００８】
本発明は以上のような問題点を解消するためになされたもので、個別試験実施装置を用いた試験方法に関し、不正行為を防止することができ、試験終了後の受験生への結果の通知を迅速に行うことのできる個別試験実施装置を提供することを目的とする。
【課題を解決するための手段】
【０００９】
本発明の個別試験実施装置は、試験問題を格納する試験問題格納手段と、受験者の個人情報を格納する個人情報格納手段と、前記試験問題格納手段から読み出された試験問題と前記個人情報格納手段から読み出された個人情報とを基に実問題を生成する実問題生成手段と、前記実問題生成手段により生成された実問題を再生する再生手段と、を備えたことを特徴とするものである。
【００１０】
本発明の個別試験実施装置は、試験問題を格納する試験問題格納手段と、前記試験問題格納手段から読み出された試験問題を再生する再生手段と、解答を入力するための解答入力手段と、前記解答入力手段から入力された解答を格納する解答格納手段と、前記解答格納手段が格納している解答データ群を参照し未解答の問題の情報を確認する未解答問題確認手段と、前記未解答問題確認手段によって確認された未解答問題に関する情報を表示する表示手段と、前記未解答問題確認手段によって確認された未解答問題に対して予め受験者が指定した手順に従って自動で解答を行う自動解答手段を、備えたことを特徴とするものである。
【００１１】
本発明の個別試験実施方法は、試験問題を格納する試験問題格納手段と、受験者の個人情報を格納する個人情報格納手段と、を有し、前記試験問題格納手段に格納された試験問題を受験者が各人個別に再生する方法であって、前記試験問題格納手段から読み出された試験問題と前記個人情報格納手段から読み出された個人情報とを基にして実問題を生成する実問題生成ステップと、前記実問題生成ステップにより生成された実問題を再生する再生ステップと、を含むことを特徴とするものである。
【００１２】
本発明の個別試験実施方法は、試験問題を格納する試験問題格納手段と、前記試験問題格納手段から読み出された試験問題を再生する再生手段と、解答を入力するための解答入力手段と、前記解答入力手段から入力された解答を格納する解答格納手段と、を有し、前記試験問題格納手段に格納された試験問題を受験者が各人個別に再生し、個別試験を行う方法であって、前記解答格納手段が格納している解答データ群を参照して未解答の問題の情報を確認する未解答問題確認ステップと、前記未解答問題確認ステップによって確認された未解答問題に関する情報を表示する表示ステップと、前記未解答問題確認ステップによって確認された未解答問題に対して、予め受験者が指定した手順に従って自動で解答を行う自動解答ステップを、含むことを特徴とするものである。
【００１３】
本発明の個別試験実施装置は、複数の試験問題を格納する試験問題格納手段と、所定の条件に基づいて前記試験問題格納手段からの試験問題の読み出しを許可する情報を出力する試験問題読み出し許可手段と、試験問題読み出し許可手段から出力された試験問題の読み出しを許可する情報に基づいて、前記試験問題格納手段に格納された前記複数の試験問題から所定の１つの試験問題を選択する問題選択手段と、前記選択された試験問題を再生する再生手段と、を備えたことを特徴とするものである。
【００１４】
本発明の個別試験実施装置は、前記個別試験実施装置において、前記試験問題読み出し許可手段は、問題の再生を許可するか否かを判断する再生許可判断手段と、前記再生許可判断手段に再生の許可を与える再生許可鍵が格納された記録媒体と、を有し、前記記録媒体から読み出された再生許可鍵によって、前記問題選択手段により複数の試験問題から所定の１つの試験問題が選択される、ことを特徴とするものである。
【００１５】
本発明の個別試験実施装置は、試験問題を格納する試験問題格納手段と、前記試験問題を再生する再生手段と、を有する個別試験実施装置において、前記試験問題の再生と一時停止とを任意に指定できる再生・停止手段と、一時停止を選択しているときは前記試験問題の再生が一時停止し、前記再生状態の経過時間と試験実施時間とから残りの試験問題を再生するために必要な時間を算出して表示する残り再生必要時間表示手段と、を備えたものである。
【００１６】
本発明の個別試験実施装置は、試験問題を格納する試験問題格納手段と、前記試験問題を再生する再生手段と、を有する個別試験実施装置において、前記試験問題の再生速度を１倍速以上の任意の設定値を入力することができる高速再生命令入力手段と、前記高速再生命令入力手段から得られる前記設定値に合わせた１倍速以上の高速な試験問題の再生速度を制御する高速再生制御手段と、を備えたものである。
【００１７】
本発明の個別試験実施装置は、試験問題を格納する試験問題格納手段と、前記試験問題を再生する再生手段と、を有する個別試験実施装置において、前記試験問題の再生速度を１倍速以上の任意に設定値を入力することができる高速再生命令入力手段と、前記高速再生命令入力手段から得られる前記設定値に合わせた１倍速以上の高速な試験問題の再生速度を制御する高速再生制御手段と、前記試験問題の再生と一時停止とを任意に指定できる再生・停止手段と、一時停止を選択しているときは前記試験問題の再生が一時停止し、１倍速再生時において残りの問題を再生するのに必要な時間と、現在の再生速度の前記設定値とから前記残りの問題を前記設定値の再生速度で再生した場合に必要な時間を算出して表示する残り再生必要時間表示手段装置と、を備えたものである。
【００１８】
本発明の個別試験実施装置は、試験問題を格納する試験問題格納手段と、前記試験問題における音声情報を再生する音声再生手段と、前記試験問題における映像情報を再生する表示再生手段と、前記試験問題の再生に連動して解答を入力する解答入力手段と、前記入力された解答を保持する解答格納手段と、前記試験問題の正解を格納した正解格納手段と、前記解答格納手段に格納された前記解答と前記正解格納手段に格納された前記正解とを比較し、正誤の判断を行う解答比較手段と、前記解答比較手段による比較結果を通知する正誤結果通知手段と、解答の比較を実施するか否かを判断する解答比較許可判断手段と、前記解答比較許可判断手段に解答実施の許可を与える解答許可鍵が格納された記録媒体と、を有し、前記記録媒体から読み出された前記解答許可鍵によって前記解答比較許可判断手段が、前記解答の比較を実施することを許可した場合のみ、前記解答比較手段によって解答の比較が実施される、ことを特徴とするものである。
【００１９】
本発明の個別試験実施方法は、装置に格納された試験問題を所定の手順に従って受験者個別に試験を実施する個別試験実施方法であって、複数の試験問題を格納する試験問題格納手段から、所定の条件に基づいて試験問題の読み出しを許可する情報を出力する試験問題読み出し許可ステップと、前記試験問題の読み出しを許可する情報に基づいて、前記試験問題格納手段に格納された前記複数の試験問題から所定の１つの試験問題を選択する問題選択ステップと、前記選択された試験問題を再生する再生ステップと、を含むことを特徴とするものである。
【発明の効果】
【００２０】
本発明の個別試験実施装置によれば、試験問題を格納する試験問題格納手段と、受験者の個人情報を格納する個人情報格納手段と、前記試験問題格納手段から読み出された試験問題と前記個人情報格納手段から読み出された個人情報とを基に実問題を生成する実問題生成手段と、前記実問題生成手段により生成された実問題を再生する再生手段と、を備えたことにより、個人情報ごとに選択肢の並び順とその内容が異なる試験問題が再生されるようになり、他受験者の答案を覗くという不正行為を防止することができる効果が得られる。
【００２１】
また、本発明の個別試験実施装置によれば、試験問題を格納する試験問題格納手段と、前記試験問題格納手段から読み出された試験問題を再生する再生手段と、解答を入力するための解答入力手段と、前記解答入力手段から入力された解答を格納する解答格納手段と、前記解答格納手段が格納している解答データ群を参照し未解答の問題の情報を確認する未解答問題確認手段と、前記未解答問題確認手段によって確認された未解答問題に関する情報を表示する表示手段と、前記未解答問題確認手段によって確認された未解答問題に対して予め受験者が指定した手順に従って自動で解答を行う自動解答手段を、備えたことにより、解答用紙に解答を記入する代わりに個別試験実施装置の解答入力手段で解答を入力する場合においても、受験者が未解答問題を容易に確認することができるようになり、従来のマークシート方式の試験と同様に試験時間が残り少なくなった際においても受験者は全ての問題に解答することが可能となり、受験者の精神的な負担とならない試験が行えるという効果が得られる。また、未解答問題を残したまま試験時間が残り少なくなった場合等においても受験者はすべての問題に解答できるという効果が得られる。
【００２２】
また、本発明の個別試験実施方法によれば、試験問題を格納する試験問題格納手段と、受験者の個人情報を格納する個人情報格納手段と、を有し、前記試験問題格納手段に格納された試験問題を受験者が各人個別に再生する方法であって、前記試験問題格納手段から読み出された試験問題と前記個人情報格納手段から読み出された個人情報とを基にして実問題を生成する実問題生成ステップと、前記実問題生成ステップにより生成された実問題を再生する再生ステップと、を含むことにより、個人情報ごとに選択肢の並び順とその内容が異なる試験問題が再生されるようになり、他受験者の答案を覗くという不正行為を防止することができる効果が得られる。
【００２３】
また、本発明の個別試験実施方法によれば、試験問題を格納する試験問題格納手段と、前記試験問題格納手段から読み出された試験問題を再生する再生手段と、解答を入力するための解答入力手段と、前記解答入力手段から入力された解答を格納する解答格納手段と、を有し、前記試験問題格納手段に格納された試験問題を受験者が各人個別に再生し、個別試験を行う方法であって、前記解答格納手段が格納している解答データ群を参照して未解答の問題の情報を確認する未解答問題確認ステップと、前記未解答問題確認ステップによって確認された未解答問題に関する情報を表示する表示ステップと、前記未解答問題確認ステップによって確認された未解答問題に対して、予め受験者が指定した手順に従って自動で解答を行う自動解答ステップを、含むことにより、解答用紙に解答を記入する代わりに個別試験実施装置の解答入力手段で解答を入力する場合においても、受験者が未解答問題を容易に確認することができるようになり、従来のマークシート同様に試験時間が残り少なくなった際においても受験者は全ての問題に解答することが可能となり、受験者の精神的な負担とならない試験が行えるという効果が得られる。また、未解答問題を残したまま試験時間が残り少なくなった場合等においても受験者はすべての問題に解答できるという効果が得られる。
【００２４】
また、本発明の個別試験実施装置によれば、複数の試験問題を格納する試験問題格納手段と、所定の条件に基づいて前記試験問題格納手段からの試験問題の読み出しを許可する情報を出力する試験問題読み出し許可手段と、試験問題読み出し許可手段から出力された試験問題の読み出しを許可する情報に基づいて、前記試験問題格納手段に格納された前記複数の試験問題から所定の１つの試験問題を選択する問題選択手段と、前記選択された試験問題を再生する再生手段と、を備えたことにより、情報の漏えいによる不正を防止することができるという効果が得られる。
【００２５】
また、本発明の個別試験実施装置によれば、前記個別試験実施装置において、前記試験問題読み出し許可手段は、問題の再生を許可するか否かを判断する再生許可判断手段と、前記再生許可判断手段に再生の許可を与える再生許可鍵が格納された記録媒体と、を有し、前記記録媒体から読み出された再生許可鍵によって、前記問題選択手段により複数の試験問題から所定の１つの試験問題が選択されることにより、受験者が個別試験実施装置だけを持ち出して試験問題を再生することを防止でき、不正を防止することができるという効果が得られる。
【００２６】
また、本発明の個別試験実施装置によれば、試験問題を格納する試験問題格納手段と、前記試験問題を再生する再生手段と、を有する個別試験実施装置において、前記試験問題の再生と一時停止とを任意に指定できる再生・停止手段と、一時停止を選択しているときは前記試験問題の再生が一時停止し、前記再生状態の経過時間と試験実施時間とから残りの試験問題を再生するために必要な時間を算出して表示する残り再生必要時間表示手段と、を備えたことにより、受験者が、残りの問題を再生するのに必要な時間を考慮しつつ試験実施時間の許された範囲内で自由に試験問題に対する回答のペース配分をすることができるという効果が得られる。
【００２７】
また、本発明の個別試験実施装置によれば、試験問題を格納する試験問題格納手段と、前記試験問題を再生する再生手段と、を有する個別試験実施装置において、前記試験問題の再生速度を１倍速以上の任意の設定値を入力することができる高速再生命令入力手段と、前記高速再生命令入力手段から得られる前記設定値に合わせた１倍速以上の高速な試験問題の再生速度を制御する高速再生制御手段と、を備えたことにより、受験者が、試験実施時間の許された範囲内で自由に試験問題に対する回答のペース配分をすることができるという効果が得られる。
【００２８】
また、本発明の個別試験実施装置によれば、試験問題を格納する試験問題格納手段と、前記試験問題を再生する再生手段と、を有する個別試験実施装置において、前記試験問題の再生速度を１倍速以上の任意に設定値を入力することができる高速再生命令入力手段と、前記高速再生命令入力手段から得られる前記設定値に合わせた１倍速以上の高速な試験問題の再生速度を制御する高速再生制御手段と、前記試験問題の再生と一時停止とを任意に指定できる再生・停止手段と、一時停止を選択しているときは前記試験問題の再生が一時停止し、１倍速再生時において残りの問題を再生するのに必要な時間と、現在の再生速度の前記設定値とから前記残りの問題を前記設定値の再生速度で再生した場合に必要な時間を算出して表示する残り再生必要時間表示手段装置と、を備えたことにより、受験者が、残りの問題を再生するのに必要な時間を考慮しつつ試験実施時間の許された範囲内で自由に試験問題に対する回答のペース配分をすることができるという効果が得られる。
【００２９】
また、本発明の個別試験実施装置によれば、試験問題を格納する試験問題格納手段と、前記試験問題における音声情報を再生する音声再生手段と、前記試験問題における映像情報を再生する表示再生手段と、前記試験問題の再生に連動して解答を入力する解答入力手段と、前記入力された解答を保持する解答格納手段と、前記試験問題の正解を格納した正解格納手段と、前記解答格納手段に格納された前記解答と前記正解格納手段に格納された前記正解とを比較し、正誤の判断を行う解答比較手段と、前記解答比較手段による比較結果を通知する正誤結果通知手段と、解答の比較を実施するか否かを判断する解答比較許可判断手段と、前記解答比較許可判断手段に解答実施の許可を与える解答許可鍵が格納された記録媒体と、を有し、前記記録媒体から読み出された前記解答許可鍵によって前記解答比較許可判断手段が、前記解答の比較を実施することを許可した場合のみ、前記解答比較手段によって解答の比較が実施される構成とすることにより、写真や図を見ながら解答するヒアリング問題をも上記個別試験実施装置のみで実施することができ、紙がすべて不要となり、その結果、写真や図など視覚的な情報を記載した問題用紙の準備、配布時間の手間を軽減することができ、写真や図の記載された問題用紙の盗難等による情報漏えいを防止することができるという効果が得られる。また、試験の終了から受験生への解答の通知までの時間を短縮することができるとともに、受験者が試験中に解答比較をして正解を知るといった不正を防止できるという効果が得られる。
【００３０】
また、本発明の個別試験実施方法によれば、装置に格納された試験問題を所定の手順に従って受験者個別に試験を実施する個別試験実施方法であって、複数の試験問題を格納する試験問題格納手段から、所定の条件に基づいて試験問題の読み出しを許可する情報を出力する試験問題読み出し許可ステップと、前記試験問題の読み出しを許可する情報に基づいて、前記試験問題格納手段に格納された前記複数の試験問題から所定の１つの試験問題を選択する問題選択ステップと、前記選択された試験問題を再生する再生ステップと、を含むことにより、情報の漏えいによる不正を防止することができるという効果が得られる。
【発明を実施するための最良の形態】
【００３１】
（実施の形態１）
以下、本発明の実施の形態１にかかる個別試験実施装置について、図面を参照しながら説明する。
【００３２】
図１は本実施の形態１による個別試験実施装置の構成を示す図である。
【００３３】
図１において、１０１は個別試験実施装置であり、１０２は試験問題格納手段、１０３は個人情報格納手段、１０４は試験問題格納手段１０２にあらかじめ格納されている問題データから個人情報格納手段１０３に格納されている個人情報データに応じて実問題を選択・生成する実問題生成手段、１０５は再生手段、１０６は再生開始手段である。
【００３４】
以上のように構成された個別試験実施装置１０１を用いた試験方法について、以下その動作を説明する。
【００３５】
個別試験実施装置１０１の再生開始手段１０６によって再生開始が指示されると、実問題生成手段１０４は、試験問題格納手段１０２に格納されている問題データと、個人情報格納手段１０３に格納されている個人情報データとを読み出す。ここで問題データは問、正解となる選択肢、不正解となる選択肢から成り、個人情報データは、例えば、受験者番号のように各受験者に対し一意に定まる数列であるものとする。
【００３６】
実問題生成手段１０４には予め正解選択肢番号の列を複数セット格納しておき、これに個人情報データの下１桁ないし２桁を上記正解選択肢番号列に対応させることで、個人情報データに対応した正解選択肢番号が選択されるように構成される。
【００３７】
実問題生成手段１０４は選択した正解選択肢番号列中、該当する問題の正解選択肢番号を正解となる選択肢に割り当て、他の選択肢番号については、不正解となる選択肢に対し順に割り当てることで実問題を生成する。上記正解選択肢番号列は個人情報データに対し一意に定まるので、採点時にはこれを利用する。実問題生成手段１０４が生成した実問題は再生手段１０５によって再生される。
【００３８】
具体的には、個人情報データが受験者番号であれば、個人情報データの下１桁の０〜９の値のそれぞれに相互に異なる上記正解選択肢番号列を対応させることにより、受験者番号が近接する１０人について、選択肢の並び順とその内容が任意の受験者間で一致することのない試験問題を作成することができ、また、個人情報データの下２桁の０〜９９の値のそれぞれに相互に異なる上記正解選択肢番号列を対応させることにより、受験者番号が近接する１００人について、選択肢の並び順とその内容が任意の受験者間で一致することのない試験問題を作成することができる。
【００３９】
個別試験実施装置１０１としては音声を再生するために半導体プレーヤーを用い、試験問題格納手段１０２，個人情報格納手段１０３としてはデータを記録するためにメモリーカードを用い、さらに、個人情報データとしては、受験者番号を用いることで容易に装置を実現することが可能である。
【００４０】
以上のように、本実施の形態１によれば、受験者個々を区別することのできる情報を格納する個人情報格納手段１０３と、個人情報に基づいて、個々の受験者に他の受験者とは異なる答案問題を作成する実問題生成手段１０４を設けたので、選択肢の並び順とその内容が任意の受験者間で一致することのない試験問題を作成することができ、マークシート上の解答位置が受験者によって一致することがないために、覗き見などによる不正行為を防止することができる。
【００４１】
なお、上記実施の形態では、個別試験実施装置１０１として半導体プレーヤーを用いる例を示したが、個別試験実施装置１０１はこれに限定されるものではなく、半導体プレーヤー以外の携帯型音楽プレーヤーやラジカセなどの音声を再生できる装置であればよいことは言うまでもない。
【００４２】
また、上記実施の形態では、試験問題格納手段１０２，個人情報格納手段１０３としてメモリーカードを用いた例を示したが、これら手段を実現するものはメモリーカードに限定されるものではなく、ハードディスクやミニディスクなどの電子データを記録できるメディアであればほかの物であってもよいことは言うまでもない。
【００４３】
また、上記実施の形態では、個人情報データとして受験者番号を用いる例を示したが、個人情報データとして用いられるのはこれに限定されるものではなく、たとえば、試験室内の座席番号や個別試験実施装置の製造番号など、受験者と受験者に割り当てられた個別試験実施装置との組に対して、同一試験室内の任意の二受験者間において一致しないデータ列であればよいことは言うまでもない。
【００４４】
また、実問題生成手段１０４の問題生成方法として正解選択肢番号列を複数セット格納しておき、個人情報データによってこれを選択する方法を例として示したが、各問題について同一試験室内の任意の二受験者間において正解となる選択肢番号が一致することが保証されない方法であれば、個人情報データと正解選択肢番号列との対応方法はこれに限られるものでないことは言うまでもない。
【００４５】
（実施の形態２）
以下、本発明の実施の形態２にかかる個別試験実施装置ついて、図面を参照しながら説明する。
【００４６】
図２は本実施の形態２による個別試験実施装置の構成を示す図である。
【００４７】
図２において、３０１は個別試験実施装置であり、１０２は試験問題格納手段、２０３は解答格納手段、２０４は未解答問題確認手段、２０２は解答入力手段、３０２は自動解答手段、１０５は再生手段、２０５は表示手段、１０６は再生開始手段である。
【００４８】
以上のように構成された個別試験実施装置を用いた試験方法について、以下その動作を説明する。
【００４９】
個別試験実施装置３０１の再生開始手段１０６により再生開始が指示されると、試験問題格納手段１０２に格納されている試験問題データが読み出される。読み出された試験問題データは再生手段１０５に送られ再生される。さらに、試験問題の解答は、マークシートに記入するのではなく、解答入力手段２０２で解答を入力し、解答格納手段２０３に格納する。
【００５０】
さらに、未解答問題確認手段２０４は解答格納手段２０３が格納している解答データ群を参照し未解答の問題を特定する情報、例えば未解答問題番号を自動解答手段および表示手段２０５に出力する。
【００５１】
さらに、自動解答手段３０２は未解答問題確認手段２０４が確認した未解答問題群に対して解答を予め定められた方法に従って生成し解答格納手段２０３に格納する。ここで自動解答手段３０２が生成する解答列は、例えば受験者の指定する特定の番号からなる列とする。
【００５２】
個別試験実施装置３０１としては音声を再生するために半導体プレーヤーを用い、試験問題格納手段１０２、及び解答格納手段２０３としてはデータを記録するためにメモリーカードを用い、表示手段２０５としては未解答問題の情報を表示するために液晶画面を用いることで容易に装置を実現することが可能である。
【００５３】
以上のように本実施の形態２によれば、解答を行っていない問題の番号を示す未解答問題確認手段２０４と、解答を行っていない問題に対して、予め受験者が決めた手順に従って答案番号を指定する自動解答手段３０２を設けたことにより、問題再生装置に解答入力機能が付いている場合について、未解答問題に対する解答を短時間で行うことができ、通常のマークシートでの答案と同様に、未解答問題に対して適当に解答を記入することが可能となる。
【００５４】
なお、上記実施の形態では、個別試験実施装置３０１として半導体プレーヤーを用いた例を示したが、個別試験実施装置３０１はこれに限定されるものではなく、半導体プレーヤー以外の携帯型音楽プレーヤーやラジカセなどの音声を再生できる装置であればよいことは言うまでもない。
【００５５】
また、試験問題格納手段１０２、解答格納手段２０３としてメモリーカードを用いた例を示したが、これら手段を実現するものはハードディスクやミニディスクなどの電子データを記録できるメディアであればほかのものであってもよいことは言うまでもない。
【００５６】
また、表示手段２０５として液晶画面を用いた例を示したが、表示手段２０５はこれに限定されるものではなく、有機ＥＬディスプレイやＰＤＰ（Ｐｌａｓｍａ  Ｄｉｓｐｌａｙ  Ｐａｎｅｌ）などの表示できる装置であればよいことは言うまでもない。
【００５７】
また、自動解答手段３０２の生成する解答列として受験者が指定する特定の番号からなる列を指定する例を示したが、自動解答手段３０２は未解答問題に対して適当な解答を入力することで未解答問題の点数が０となることを避けるためのものであることから、自動解答手段３０２によって指定される番号はこれに限定されるものではなく、例えば、既解答列を含めた解答の分布が各問題における選択肢番号列の中央値にやや寄るように計算した列の番号を選択するなどのように解答として成立するものであれば、ほかの番号であってもよいことは言うまでもない。
【００５８】
（実施の形態３）
以下、本発明の実施の形態３にかかる個別試験実施装置について説明する。
【００５９】
従来の個別試験実施装置では、試験実施者が持つ再生許可入力手段と各々の受験生が持つ個別試験実施装置とを無線で接続する際に、例えば、悪意のある受験生が個別試験実施装置を複数台用意し、事前に第三者に渡しておき受験時にその第三者が無線電波の受信圏内に位置していて、その受験生と連絡が取れるようにしていた場合、その第三者が持つ個別試験実施装置も同時に試験会場外で再生が可能であることから、その第三者が解答を調べてその受験生に正解を連絡したりするなどの不正行為が発生する可能性がある。本実施の形態３にかかる個別試験実施装置は、試験実施環境の条件の緩和や試験実施準備の手間を軽減しながら、同時に第三者が持つ上記従来の個別試験実施装置にて問題が再生され正解を受験生に連絡するなどの不正行為を防止することができるものである。
【００６０】
図３は、本実施の形態３による個別試験実施装置の構成を示す図である。
【００６１】
図３において、６３１は個別試験実施装置であり、６０２は問題格納手段、６１２は再生許可判断手段、６３２はメモリーカード、６３３は再生許可鍵、６０４は問題選択手段、６０５は音声再生手段、６０６は再生ボタン、６０７はヘッドホンである。
【００６２】
上記個別試験実施装置６３１を構成する問題格納手段６０２は複数の試験問題を格納するものであり、再生許可判断手段６１２は再生ボタン６０６が押されたときに問題の再生を許可するか否かを判断するものであり、再生許可鍵６３３は再生許可判断手段６１２に問題の再生許可情報を与えるものであり、問題選択手段６０４は、問題格納手段６０２に格納されている複数の試験問題から１つを選択するものであり、音声再生手段６０５は問題選択手段６０４により選択された問題をヘッドホン６０７に出力するものである。また、上記再生許可判断手段６１２と問題選択手段６０４、及びメモリーカード６３２により試験問題読み出し許可手段を実現するものとなっている。
【００６３】
以上のように構成された個別試験実施装置６３１を用いた試験方法について、以下その動作を説明する。
【００６４】
試験開始時まで個別試験実施装置６３１とメモリーカード６３２は別個に保管されている。試験実施者が試験開始時まで保有するメモリーカード６３２には再生許可鍵６３３が格納されており、再生許可鍵６３３は再生許可判断手段６１２が問題を再生することを許可する情報であり、メモリーカード６３２に保存されている。
【００６５】
試験開始直前に試験実施者は各々の受験生に再生許可鍵６３３が格納されたメモリーカード６３２を配布し、受験生は各々の個別試験実施装置６３１にメモリーカード６３２を差込み、試験を開始する。再生ボタン６０６が押されると、再生ボタン６０６が押された個別試験実施装置６３１にて問題が再生されることを許可するか否かを再生許可判断手段６１２が問題選択手段６０４へ通知する。再生ボタン６０６が押された個別試験実施装置６３１にて問題が再生されることを許可するか否かはメモリーカード６３２に格納されている再生許可鍵６３３の情報を再生許可判断手段６１２が読み込むことで判断し、試験実施者が試験直前に配布したメモリーカード６３２であればメモリーカード６３２に格納されている再生許可鍵６３３により問題再生が許可される。問題再生が許可されている場合、問題再生許可情報を受信した問題選択手段６０４は受信した情報を元に問題格納手段６０２に格納されている複数の試験問題データから１つを選択し、選択した試験問題データを音声再生手段６０５に送る。選択された試験問題データは音声再生手段６０５にて音声データに変換され、ヘッドホン６０７に音声として出力される。
【００６６】
一方、メモリーカード６３２が試験実施者が配布したカードでない場合、再生許可鍵６３３が不適合となるため再生ボタン６０６を押しても問題格納手段６０２に格納され問題データは再生されることがない。
【００６７】
以上のように本実施の形態３によれば、再生ボタン６０６が押された際に試験開始直前に試験実施者から配布された再生許可鍵６３３が格納されたメモリーカード６３２でなければ問題が再生されないことから、無線により第三者が持つ個別試験実施装置６２１にて問題が再生され正解を受験生に連絡するなどの不正行為が起きるという問題が解消され、また同時に有線のケーブルにて接続する手間やケーブルの長さなどの試験実施環境における制限事項を軽減することができる。
【００６８】
上記個別試験実施装置６３１は半導体プレーヤーを用い、問題格納手段６０２にはメモリーカードを用いることで容易に装置を実現することが可能である。
【００６９】
なお、本実施の形態３では、個別試験実施装置６３１として半導体プレーヤーを用いる例を示したが、個別試験実施装置６３１はこれに限定されるものではなく、ラジカセや半導体プレーヤー以外の携帯型音楽プレーヤーなどの音声を再生できる装置であればよいことは言うまでもない。また、問題格納手段６０２、再生許可鍵６３３を格納するメディアとしてメモリーカード６３２を用いる例を示したが、問題格納手段６０２，再生許可鍵６３３を格納するメディアはこれに限定されるものではなく、ハードディスクやミニディスクなど、電子データを記録できるメディアであればよいことは言うまでもない。
【００７０】
（実施の形態４）
以下、本発明の実施の形態４にかかる個別試験実施装置について図面を参照しながら説明する。
【００７１】
試験会場にあるスピーカーから音声を再生し、その試験会場にいる受験生に一斉に問題を聞かせて解答するという同一音源によるヒアリング試験や、音声再生時に、１倍速再生のみを有する個別試験実施装置では、筆記試験のように受験生が試験実施時間の許された範囲内で自由に回答のペース配分をすることが許されなかった。本実施の形態４にかかる個別試験実施装置は、この問題を解決するものである。
【００７２】
図４は本実施の形態４による個別試験実施装置の構成を示す図である。
【００７３】
図４において、６６１は個別試験実施装置であり、６０２は問題格納手段、６０５は音声再生手段、６４２は表示再生手段、６６３は残り再生必要時間測定手段、６６４は残り再生必要時間表示装置、６６２は再生・一時停止ボタン、６０７はヘッドホンである。
【００７４】
上記個別試験実施装置６６１内には、試験問題を格納する問題格納手段６０２、ボタンを押すたびに再生と一時停止が切り替わる再生・一時停止ボタン６６２、再生・一時停止ボタン６６２が押されると問題格納手段６０２から試験問題における音声情報をヘッドホン６０７に出力する音声再生手段６０５、視覚情報を表示する表示再生手段６４２、再生・一時停止ボタン６６２が押されることで得られる再生・一時停止情報から試験問題を再生するのに必要な残り時間を測定する残り再生必要時間測定手段６６３、残り再生必要時間測定手段６６３から与えられる試験問題を再生するのに必要な残り時間を表示する残り再生必要時間表示装置６６４が備えられている。
【００７５】
上記のように構成された個別試験実施装置６６１を用いた試験方法について、以下その動作を説明する。
【００７６】
個別試験実施装置６６１の再生・一時停止ボタン６６２が押されると、問題格納手段６０２に格納されている試験問題データが読み出される。問題格納手段６０２に格納されている試験問題データには音声情報と視覚情報が含まれており、読み出された試験問題データ中の音声情報は音声再生手段６０５に送られ、ヘッドホン６０７に音声として出力される。さらに、写真や図など視覚的な情報を見ながら解答する形式のヒアリング問題時には読み出された試験問題データ中の視覚情報が表示再生手段６４２に表示され、受験生は表示再生手段６４２を見ながら試験を実施する。また、再生・一時停止ボタン６６２は押す回数によって再生と一時停止を繰り返すことが可能であり、受験生は試験実施時間の許された範囲内で自由に再生と一時停止を選択することができる。この再生と一時停止の状態を表す情報は残り再生必要時間測定手段６６３に常時送られ、あらかじめ格納されている試験問題を再生するのに必要な時間と、現在までに経過した再生時間を計算した結果から残りの試験問題を再生するのに必要な時間を残り再生必要時間表示装置６６４に通知し、通知を受けた残り再生必要時間表示装置６６４は数値およびグラフなど、視覚情報として表示される。
【００７７】
以上のように本実施の形態４によれば、受験者は再生・一時停止ボタン６６２を押すことで問題再生と一時停止を繰り返し、試験実施時間の許された範囲内で自由に試験問題に対する回答をペース配分することができる。あわせて、残り再生必要時間表示装置６６４を見ることで、残りの問題を再生するのに必要な時間が分かり、受験者が意図しない未再生の問題があるまま試験が終了してしまうという問題を防ぐこともできる。
【００７８】
上記個別試験実施装置６６１は半導体プレーヤーを用い、問題格納手段６０２はメモリーカードを用い、表示再生手段６４２には液晶画面を用い、残り再生必要時間表示装置６６４には７セグメントＬＥＤを用いることで容易に装置を実現することが可能である。
【００７９】
なお、本実施の形態４では、個別試験実施装置６６１として半導体プレーヤーを用いる例を示したが、個別試験実施装置６６１はこれに限定されるものではなく、ラジカセや半導体プレーヤー以外の携帯型音楽プレーヤーなどの音声を再生できる装置であればよいことは言うまでもない。また、問題格納手段６０２としてメモリーカードを用いる例を示したが、問題格納手段６０２はこれに限定されるものではなく、ハードディスクやミニディスクなどの電子データを記録できるメディアであればよいことは言うまでもない。また、表示再生手段６４２として液晶画面を用いる例を示したが、表示再生手段６４２はこれに限定されるものではなく、例えば、有機ＥＬディスプレイやＰＤＰ（Ｐｌａｓｍａ  Ｄｉｓｐｌａｙ  Ｐａｎｅｌ）などの表示できる装置であればよいことは言うまでもない。また、残り再生必要時間表示装置６６４として７セグメントＬＥＤを用いる例を示したが、残り再生必要時間表示装置６６４はこれに限定されるものではなく、受験生が残り再生に必要な時間を確認できる視覚的な情報を提供できるものであればよい。さらに、残り再生必要時間表示装置６６４は個別試験実施装置６６１内で他の手段と独立している必要は無く、例えば、表示再生手段６４２内部に表示されてもよい。また、再生・一時停止ボタン６６２は１つのボタンとして兼用する必要はなく、再生と一時停止を任意に選択できれば個別に存在してもよい。
【００８０】
（実施の形態５）
以下、本発明の実施の形態５にかかる個別試験実施装置について図面を参照しながら説明する。
【００８１】
試験問題の再生と一時停止を受験者が自由に選択し、回答のペース配分を行う場合、一時停止している時間が増大すると、残りの試験時間に対する残りの試験問題の再生時間が足りなくなり、最後まで問題を再生することができないという問題が生じる場合がある。また合わせて、実施の形態４の個別試験実施装置６６１では一時停止が可能であるため、ヒアリング問題に十分時間を費やしたいと思う受験生には有用であるが、ヒアリング問題は短い時間で終了しヒアリング問題以外に十分な時間を費やしたいと思う受験生には、対応できないという問題がある。本実施の形態５にかかる個別試験実施装置は、これらの問題を解決するものである。
【００８２】
図５は本実施の形態５による個別試験実施装置の構成を示す図である。
【００８３】
図５において、６７１は個別試験実施装置であり、６０２は問題格納手段、６０５は音声再生手段、６４２は表示再生手段、６７２は高速再生制御手段、６７３は高速再生命令入力手段、６０６は再生ボタン、６０７はヘッドホンである。
【００８４】
上記個別試験実施装置６７１は、個別試験実施装置６７１内に、試験問題を格納し任意の１倍速以上の再生に対応した速度で試験問題データを出力可能な問題格納手段６０２と、１倍速以上の速度設定情報を入力するための高速再生命令入力手段６７３と、高速再生命令入力手段６７３から得られる設定情報をもとに１倍速以上の問題再生制御情報を出力する高速再生制御手段６７２と、試験問題における音声情報をヘッドホン６０７に出力する任意の１倍速以上の再生に対応した音声再生手段６０５と、視覚情報を表示する任意の１倍速以上の再生に対応した表示再生手段６４２と、再生ボタン６０６と、が備えられている。
【００８５】
上記のように構成された個別試験実施装置６７１を用いた試験方法について、以下その動作を説明する。
【００８６】
個別試験実施装置６７１の再生ボタン６０６が押されると、高速再生命令入力手段６７３により設定された１倍速以上の速度設定情報が高速再生制御手段６７２に入力される。速度設定情報が入力された高速再生制御手段６７２は速度設定情報により１倍速以上の問題再生制御情報を問題格納手段６０２，音声再生手段６０５，表示再生手段６４２に出力する。問題格納手段６０２は１倍速以上の再生に対応した速度で試験問題データを出力することが可能であり、高速再生制御手段６７２から入力される再生制御情報に基づいた速度で試験問題データを出力する。問題格納手段６０２に格納されている試験問題データには音声情報と視覚情報が含まれており、読み出された試験問題データ中の音声情報は音声再生手段６０５に送られる。音声再生手段６０５は任意の１倍速以上の再生に対応しており、ヘッドホン６０７に音声として出力される。さらに、写真や図など視覚的な情報を見ながら解答する形式のヒアリング問題時には読み出された試験問題データ中の視覚情報が任意の１倍速以上の再生に対応した音声再生手段と同期した１倍速以上の速度で表示再生手段６４２に表示される。
【００８７】
以上のように本実施の形態５によれば、受験生は再生ボタン６０６を押した後、任意の１倍速以上の設定を高速再生命令入力手段６７３を用いて随時行い、問題再生時間を短縮させ、試験実施時間の許された範囲内で自由に試験問題に対する回答のペース配分をすることができる。
【００８８】
上記個別試験実施装置６７１は半導体プレーヤーを用い、問題格納手段６０２はメモリーカードを用い、表示再生手段６４２には液晶画面を用いることで容易に装置を実現することが可能である。
【００８９】
なお、本実施の形態５では、個別試験実施装置６７１として半導体プレーヤーを用いる例を示したが、個別試験実施装置６７１はこれに限定されるものではなく、ラジカセや半導体プレーヤー以外の携帯型音楽プレーヤーなどの音声を再生できる装置であればよいことは言うまでもない。また、問題格納手段６０２としてメモリーカードを用いる例を示したが、問題格納手段６０２はこれに限定されるものではなく、ハードディスクやミニディスクなどの電子データを記録できるメディアであればよいことは言うまでもない。また、表示再生手段６４２として液晶画面を用いる例を示したが、表示再生手段６４２はこれに限定されるものではなく、例えば、有機ＥＬディスプレイやＰＤＰ（Ｐｌａｓｍａ  Ｄｉｓｐｌａｙ  Ｐａｎｅｌ）などの表示できる装置であればよいことは言うまでもない。
【００９０】
（実施の形態６）
以下、本発明の実施の形態６にかかる個別試験実施装置について図面を参照しながら説明する。
【００９１】
上記実施の形態５では１倍以上の再生速度を受験者が自由に選択しペース配分ができる場合、再生速度が高速化されるため、例えば問題再生は高速化し、解答時には一時停止してゆっくり考えるなどができず、単にヒアリング問題解答時間が短縮化されるだけであり、ヒアリング試験における試験問題再生、回答時間を受験者が自由にペース配分をできるわけではない。本実施の形態６にかかる個別試験実施装置は、この問題を解決する手段を備えたものである。
【００９２】
図６は、本実施の形態６による個別試験実施装置の構成を示す図である。
【００９３】
図６において、６８１は個別試験実施装置であり、６０２は問題格納手段、６０５は音声再生手段、６４２は表示再生手段、６７２は高速再生制御手段、６７３は高速再生命令入力手段、６６３は残り再生必要時間測定手段、６６４は残り再生必要時間表示装置、６６２は再生・一時停止ボタン、６０７はヘッドホンである。
【００９４】
上記個別試験実施装置６８１は、その内部に、試験問題を格納し任意の１倍速以上の再生に対応した速度で試験問題データを出力可能な問題格納手段６０２と、１倍速以上の速度設定情報を入力するための高速再生命令入力手段６７３と、高速再生命令入力手段６７３から得られる設定情報をもとに１倍速以上の問題再生制御情報を出力する高速再生制御手段６７２と、試験問題における音声情報をヘッドホン６０７に出力する任意の１倍速以上の再生に対応した音声再生手段６０５と、視覚情報を表示する任意の１倍速以上の再生に対応した表示再生手段６４２と、ボタンを押すたびに再生と一時停止が切り替わる再生・一時停止ボタン６６２と、高速再生制御手段６７２から得られる現在の再生速度で残りの問題を再生するのにどれだけの時間がかかるかを計算する残り再生必要時間測定手段６６３と、残り再生必要時間測定手段６６３から与えられる試験問題を再生するのに必要な残り時間を表示する残り再生必要時間表示装置６６４と、を備えている。
【００９５】
上記のように構成された個別試験実施装置６８１を用いた試験方法について、以下その動作を説明する。
【００９６】
個別試験実施装置６８１の再生・一時停止ボタン６６２は押す回数によって、再生と一時停止を繰り返すことが可能であり、受験生は試験実施時間の許された範囲内で自由に再生と一時停止を選択することができる。この再生・一時停止ボタン６６２が押され再生状態になると、高速再生命令入力手段６７３により設定された１倍速以上の速度設定情報が高速再生制御手段６７２に入力される。速度設定情報が入力された高速再生制御手段６７２は速度設定情報により１倍速以上の問題再生制御情報を問題格納手段６０２，音声再生手段６０５，表示再生手段６４２，残り再生必要時間測定手段６６３に出力する。
【００９７】
問題格納手段６０２は１倍速以上の再生に対応した速度で試験問題データを出力することが可能であり、高速再生制御手段６７２から入力される再生制御情報に基づいた速度で試験問題データを出力する。問題格納手段６０２に格納されている試験問題データには音声情報と視覚情報が含まれており、読み出された試験問題データ中の音声情報は音声再生手段６０５に送られる。音声再生手段６０５は任意の１倍速以上の再生に対応しており、ヘッドホン６０７に音声として出力される。さらに、写真や図など視覚的な情報を見ながら解答する形式のヒアリング問題時には読み出された試験問題データ中の視覚情報が任意の１倍速以上の再生に対応した音声再生手段６０５と同期した１倍速以上の速度で表示再生手段６４２に表示される。
【００９８】
また、再生状態時、高速再生制御手段６７２から出力された再生制御情報は残り再生必要時間測定手段６６３に常時送られ、あらかじめ格納されている試験問題を１倍速再生するのに必要な時間と、現在までに再生した試験問題の１倍速再生した際の経過時間、現在の再生速度設定情報から、残りの問題を現在の再生速度設定で再生した場合に必要な再生時間を計算する。計算した結果は残り再生必要時間表示装置６６４に通知し、通知を受けた残り再生必要時間表示装置６６４は数値およびグラフなど、視覚情報として表示される。
【００９９】
以上のように本実施の形態６によれば、受験者は再生・一時停止ボタン６６２を押すことで問題再生と一時停止を繰り返し、再生状態にした後、任意の１倍速以上の設定を高速再生命令入力手段６７３を用いて随時行い、問題再生時間を短縮させ、試験実施時間の許された範囲内で問題の再生時間と回答時間を自由にペース配分をすることができる。あわせて、残り再生必要時間表示装置６６４を見ることで、残りの問題を再生するのに必要な時間が分かり、受験者が意図しない未再生の問題があるまま試験が終了してしまうという問題を防ぐこともできる。
【０１００】
上記個別試験実施装置６８１は半導体プレーヤーを用い、問題格納手段６０２はメモリーカードを用い、表示再生手段６４２には液晶画面を用い、残り再生必要時間表示装置６６４には７セグメントＬＥＤを用いることで容易に装置を実現することが可能である。
【０１０１】
なお、上記実施の形態では個別試験実施装置６８１として半導体プレーヤーを用いた例を示したが、個別試験実施装置６８１はこれに限定されるものではなく、ラジカセや半導体プレーヤー以外の携帯型音楽プレーヤーなどの音声を再生できる装置であればよいことは言うまでもない。また、問題格納手段６０２としてメモリーカードを用いた例を示したが、問題格納手段６０２はこれに限定されるものではなく、ハードディスクやミニディスクなどの電子データを記録できるメディアであればよいことは言うまでもない。また、表示再生手段６４２として液晶画面を用いる例を示したが、表示再生手段６４２はこれに限定されるものではなく、例えば、有機ＥＬディスプレイやＰＤＰ（Ｐｌａｓｍａ  Ｄｉｓｐｌａｙ  Ｐａｎｅｌ）などの表示できる装置であればよいことは言うまでもない。また、残り再生必要時間表示装置６６４として７セグメントＬＥＤを用いた例を示したが、残り再生必要時間表示装置６６４はこれに限定されるものではなく、受験生が残り再生に必要な時間を確認できる視覚的な情報を提供できるものであればよい。さらに、残り再生必要時間表示装置６６４は個別試験実施装置６８１内で他の手段と独立している必要はなく、例えば、表示再生手段６４２内部に表示されるように構成してもよい。また、再生・一時停止ボタン６６２は１つのボタンを兼用する必要はなく、再生と一時停止を任意に選択できれば個別のボタンとして存在してもよい。
【０１０２】
（実施の形態７）
以下、本発明の実施の形態７について図面を参照しながら説明する。
【０１０３】
従来、試験実施者と個別試験実施装置を有線で接続する場合、試験実施者と各々の受験生がもつ個別試験実施装置とを有線のケーブルにて接続する必要があり、試験実施環境が有線ケーブルの長さなどに制限されたり、試験実施の際の準備が非常に手間となる、と問題がある。また、無線で接続する際に、例えば、悪意のある受験生が個別試験実施装置を複数台用意し、事前に第三者に渡しておき受験時にその第三者が無線電波の受信圏内に位置していて、その受験生と連絡が取れるようにしていた場合、その第三者が持つ個別試験実施装置も同時に試験会場外で再生が可能であることから、その第三者が解答を調べてその受験生に正解を連絡したりするなどの不正行為が発生する可能性がある、と問題がある。本実施の形態７にかかる個別試験実施装置は上記の問題を解決するものである。
【０１０４】
図７は本実施の形態７による個別試験実施装置の構成を示す図である。
【０１０５】
図７において、７４１は個別試験実施装置であり、６０２は問題格納手段、６９３は解答格納手段、６９４は正解格納手段、６９６は正誤結果通知手段である。また、６０３は音声再生手段、６４２は表示再生手段、６９２は解答入力手段、６９５は解答比較手段、７０２は解答比較許可判断手段、７４２はメモリーカード、７４３は解答許可鍵、６０６は再生ボタン、６０７はヘッドホンである。
【０１０６】
上記個別試験実施装置７４１内に、試験問題を格納する問題格納手段６０２と、再生ボタン６０６が押されると問題格納手段６０２から試験問題における音声情報をヘッドホン６０７に出力する音声再生手段６０３と、視覚情報を表示する表示再生手段６４２と、受験生が解答番号または記号を入力する解答入力手段６９２と、受験生が解答入力手段６９２を用いて入力した解答番号または記号を格納する解答格納手段６９３と、問題格納手段６０２に格納された試験問題の正解を格納した正解格納手段６９４と、受験者が解答した結果と正解とを比較する解答比較手段６９５と、解答比較許可判断手段７０２に与える解答比較実施許可情報となる解答許可鍵７４３と、解答許可鍵７４３を格納するメモリーカード７４２と、メモリーカード７４２から得た解答比較実施許可情報となる解答許可鍵７４３を元に解答比較手段６９５に解答比較を実施することを許可するか否かを判断する解答比較許可判断手段７０２と、解答比較手段６９５により比較された正誤情報を通知する正誤結果通知手段６９６と、を備える。
【０１０７】
以上のように構成された個別試験実施装置を用いた試験方法について、以下その動作を説明する。
【０１０８】
個別試験実施装置７４１の再生ボタン６０６が押されると、問題格納手段６０２に格納されている試験問題データが読み出される。問題格納手段６０２に格納されている試験問題データには音声情報と視覚情報が含まれており、読み出された試験問題データ中の音声情報は音声再生手段６０３に送られ、ヘッドホン６０７に音声として出力される。さらに、写真や図など視覚的な情報を見ながら解答する形式のヒアリング問題時には読み出された試験問題データ中の視覚情報が表示再生手段６４２に表示され、受験生は表示再生手段６４２を見ながら試験を実施する。また、受験生は各問題においてヘッドホン６０７からの音声情報と表示再生手段６４２からの視覚情報をもとに解答入力手段６９２を用いて解答番号または記号を入力する。受験生が選択した解答番号または記号情報は解答格納手段６９３に保存される。
【０１０９】
試験終了時、試験実施者により保管されていたメモリーカード７４２が配布される。この試験実施者が試験終了時まで保有するメモリーカード７４２には解答許可鍵７４３が格納されており、解答許可鍵７４３は解答比較許可判断手段７０２が解答比較を実施することを許可する情報である。受験生は各々の個別試験実施装置７４１にメモリーカード７４２を差込む。個別試験実施装置７４１に差し込まれたメモリーカード７４２に格納されている解答許可鍵７４３は解答比較許可判断手段７０２に送信される。解答比較実施の許可情報である解答許可鍵７４３を受信した解答比較許可判断手段７０２は、解答比較手段６９５へ解答比較実施を許可する。
【０１１０】
解答比較実施を許可された解答比較手段６９５は解答格納手段６９３に格納されている解答と正解格納手段６９４に格納されている正解とを比較し、正誤の結果を正誤結果通知手段６９６に出力する。
【０１１１】
以上のように本実施の形態７によれば、写真や図など視覚的な情報を見ながら解答する形式のヒアリング問題時には受験生は表示再生手段６４２を見ながら試験を実施し、かつ解答入力手段６９２、解答格納手段６９３を個別試験実施装置７４１内に保有することで、写真や図など視覚的な情報を記載した問題用紙、解答用紙ともに不要となり、個別試験実施装置７４１があるだけでヒアリング試験をすべて実施することができる。その結果、問題用紙、解答用紙の準備、配布時間の手間などを軽減することができる。
【０１１２】
また、各々の受験者の解答が解答比較手段６９５にて正解と比較され、その結果が正誤結果通知手段６９６に格納されることにより以前のマークシート回収型の試験に比べ受験後マークシートを回収してから機械にて読み取り作業が不要となるため解答回収から受験生への試験結果の通知が行われるまでの時間を短縮することができる。
【０１１３】
さらに、解答比較実施の許可情報となる解答許可鍵７４３が格納されているメモリーカード７４２は試験終了時まで試験実施者が保管し、おのおのの受験生には配布されないことから、解答比較は試験終了を試験実施者が確認し、メモリーカード７４２を配布するまで解答比較実施の許可あるいは不許可を試験実施者が任意に制御することができるため、試験終了前に解答比較を実施して正解を知るという不正行為を防止することができる。そのうえ、試験終了時、試験実施者が保管されていたメモリーカードを配布するだけであるので、有線ケーブルの長さによる制限や準備の手間、無線電波が届く範囲の制限など試験実施環境の条件が緩和し、試験実施の際の準備を軽減することができる。
【０１１４】
上記個別試験実施装置７４１は半導体プレーヤーを用い、問題格納手段６０２，解答格納手段６９３，正解格納手段６９４および正誤結果通知手段６９６はメモリーカードを用い、表示再生手段６４２には液晶画面を用いることで容易に装置を実現することが可能である。
【０１１５】
なお、上記実施の形態７では個別試験実施装置７４１として半導体プレーヤーを用いる例を示したが、個別試験実施装置７４１はこれに限定されるものではなく、ラジカセや半導体プレーヤー以外の携帯型音楽プレーヤーなどの音声を再生できる装置であればよいことは言うまでもない。また、問題格納手段６０２，解答格納手段６９３，正解格納手段６９４および正誤結果通知手段６９６としてメモリーカードを用いる例を示したが、これら手段を実現するものはメモリーカードに限定されるものではなく、例えば、ハードディスクやミニディスクなどの電子データを記録できるメディアであればよいことは言うまでもない。さらに、問題格納手段６０２，解答格納手段６９３，正解格納手段６９４および正誤結果通知手段６９６としてメモリーカードを用いる例を示したが、使用されるメモリーカードもしくは記録できるメディアは必ずしもそれぞれの手段につき１つずつ用意する必要は無く、合計で１つ以上あればよい。
【０１１６】
また、表示再生手段６４２として液晶画面を用いる例を示したが、表示再生手段６４２はこれに限定されるものではなく、有機ＥＬディスプレイやＰＤＰ（Ｐｌａｓｍａ  Ｄｉｓｐｌａｙ  Ｐａｎｅｌ）などの表示できる装置であればよいことは言うまでもない。
【産業上の利用可能性】
【０１１７】
本発明にかかる個別試験実施装置は、試験問題を所定の時間においてのみ再生するように制御する情報記録再生機能を具備しているために、試験時間外における試験問題の再生などの不正行為を防止することができ、また、試験問題に対する正しい回答を格納し、これを受験者の回答と照合する機能を具備したことにより、試験終了後の受験生への結果の通知を迅速に行うことができ、試験問題の再生等に極めて有用である。
【図面の簡単な説明】
【０１１８】
【図１】図１は、本発明の実施の形態１による個別試験実施装置の構成を示すブロック図である。
【図２】図２は、本発明の実施の形態２による個別試験実施装置の構成を示すブロック図である。
【図３】図３は、本発明の実施の形態３における個別試験実施装置を用いた試験方法の個別試験実施装置のブロック図である。
【図４】図４は、本発明の実施の形態４における個別試験実施装置を用いた試験方法の個別試験実施装置のブロック図である。
【図５】図５は、本発明の実施の形態５における個別試験実施装置を用いた試験方法の個別試験実施装置のブロック図である。
【図６】図６は、本発明の実施の形態６における個別試験実施装置を用いた試験方法の個別試験実施装置のブロック図である。
【図７】図７は、本発明の実施の形態７における個別試験実施装置を用いた試験方法の個別試験実施装置のブロック図である。
【符号の説明】
【０１１９】
１０１，３０１，６３１，６６１，６７１，６８１，７４１…個別試験実施装置
１０２…試験問題格納手段
６０２…問題格納手段
１０３…個人情報格納手段
１０４…実問題生成手段
１０５…再生手段
６０５…音声再生手段
６０６…再生ボタン
６６２…再生／一時停止ボタン
６０７…ヘッドホン
１０６…再生開始手段
２０３，６９３…解答格納手段
２０４…未解答問題確認手段
２０２，６９２…解答入力手段
２０５…表示手段
３０２…自動解答手段
６０４…問題選択手段
６１２…再生許可判断手段
７３３…無線受信装置
７３５…無線送信装置
６３２，７４２…メモリーカード
６３３…再生許可鍵
６４２…表示再生手段
６６３…残り再生必要時間測定手段
６６４…残り再生必要時間表示装置
６７２…高速再生制御手段
６７３…高速再生命令入力手段
６９４…正解格納手段
６９５…解答比較手段
６９６…正誤結果通知手段
７０２…解答比較許可判断手段
７４３…解答許可鍵
【図１】
0004659756.tif 000002
【図２】
0004659756.tif 000003
【図３】
0004659756.tif 000004
【図４】
0004659756.tif 000005
【図５】
0004659756.tif 000006
【図６】
0004659756.tif 000007
【図７】
0004659756.tif 000008